(57)【特許請求の範囲】
【請求項１】
一面が開口した直方体状に形成された、薄膜状の長尺物が巻かれた巻回体を収容する本体部と；
前記開口の一辺に回動可能に連接され、前記開口を塞ぐ蓋部とを備え；
前記本体部又は前記蓋部に、前記本体部に収容された前記巻回体が初めて引き出される際に前記巻回体の先端部の剥離を助ける引出テープの貼付を促す引出テープ保管表示部が形成された；
巻回体収容箱。
【請求項２】
前記本体部又は前記蓋部に貼付された剥離テープであって、前記引出テープとは別の剥離テープを備える；
請求項１に記載の巻回体収容箱。
【請求項３】
前記引出テープ保管表示部が、前記蓋部の裏面に形成された；
請求項１又は請求項２に記載の巻回体収容箱。
【請求項４】
薄膜状の長尺物が巻かれた巻回体であって、先端部に剥離を助ける引出テープが貼付された巻回体と；
請求項１乃至請求項３のいずれか１項に記載の巻回体収容箱とを備える；
巻回体入り収容箱。
【請求項５】
蓋部が開閉する直方体状の収容箱に収容された、薄膜状の長尺物が巻かれて先端に剥離を助ける引出テープが貼付された巻回体から、前記長尺物を引き出す方法であって；
前記収容箱を開封して初めて引き出す際に、前記引出テープを摘んで引き出す初期引出工程と；
前記初期引出工程で長尺物を引き出した後に、前記引出テープを前記長尺物から剥がす引出テープ剥離工程と；
前記引出テープ剥離工程で剥がした前記引出テープを、前記収容箱に貼付して保管する引出テープ保管工程と；
前記長尺物の引き出しを開始した後に前記長尺物の先端が前記巻回体に張り付いた際に、前記収容箱に貼付して保管してある前記引出テープを用いて、前記巻回体に張り付いた前記長尺物の先端を前記巻回体から剥離する先端剥離工程とを備える；
長尺物引き出し方法。
【発明の詳細な説明】
【技術分野】
【０００１】
本発明は巻回体収容箱、巻回体入り収容箱及び長尺物引き出し方法に関し、特にロールに巻き戻ってしまったフィルムの引き出しを助けるのに役立つ巻回体収容箱、巻回体入り収容箱及び長尺物引き出し方法に関する。
【背景技術】
【０００２】
食材や料理あるいは皿などの食器を料理ごと包む食品用ラップフィルムが広く用いられている。食品用ラップフィルムは、典型的には、ロール状に巻かれた長尺のプラスチックフィルムが、長い直方体の容器に収容されており、使用する際には、先端のフィルムをロールから必要量引き出し、容器の蓋に取り付けられている切断刃で切断する。切断後のロール状に巻かれたプラスチックフィルムの先端は、容器の本体部と蓋部とに挟まれた状態で保管され、この状態が維持されれば次に使用する際にもフィルムの先端を摘みやすい。ところが、フィルムがロールに巻き戻ってしまうと、フィルムの先端がロールに張り付いてしまい、フィルムの先端を摘むのが困難になる。このような不都合を解消する技術として、容器本体の前面に切断後のラップフィルム端部を剥離可能に保持するフィルム保持部を形成するものがある（例えば、特許文献１参照。）。
【先行技術文献】
【特許文献】
【０００３】
【特許文献１】特開２００９−１８４６９２号公報（段落０００２等）
【発明の概要】
【発明が解決しようとする課題】
【０００４】
しかしながら、容器本体の前面にフィルム保持部を形成した場合でも、何らかの事情でフィルム先端がフィルム保持部から剥離してしまい、フィルムがロールに巻き戻ってしまうことが生じ得る。
【０００５】
本発明は上述の課題に鑑み、フィルムがロールに巻き戻ってしまった場合にフィルム先端を摘みやすくすることを助けるのに役立つ巻回体収容箱、巻回体入り収容箱及び長尺物引き出し方法を提供することを目的とする。
【課題を解決するための手段】
【０００６】
上記目的を達成するために、本発明の第１の態様に係る巻回体収容箱は、例えば図１に示すように、一面１１ｈが開口した直方体状に形成された、薄膜状の長尺物３１ｆが巻かれた巻回体３１ｒを収容する本体部１１と；開口１１ｈの一辺１０ｊに回動可能に連接され、開口１１ｈを塞ぐ蓋部１６とを備え；本体部１１又は蓋部１６に、本体部１１に収容された巻回体３１ｒが初めて引き出される際に巻回体３１ｒの先端部の剥離を助ける引出テープ３５の貼付を促す引出テープ保管表示部２１が形成されている。
【０００７】
このように構成すると、巻回体に張り付いた長尺物の先端を巻回体から剥離する際に用いるテープとして、引出テープの利用を促すことができる。また、巻回体の引き出しに用いられた引出テープが用済みになったとして保管されずに捨てられることを低減することができる。
【０００８】
また、本発明の第２の態様に係る巻回体収容箱は、上記本発明の第１の態様に係る巻回体収容箱において、本体部１１又は蓋部１６（例えば図１参照）に貼付された剥離テープであって、引出テープ３５（例えば図１参照）とは別の剥離テープを備える。
【０００９】
このように構成すると、引出テープの保管を忘れた場合でも、巻回体に張り付いた長尺物の先端を巻回体から剥離する際に、剥離テープを用いることができる。
【００１０】
また、本発明の第３の態様に係る巻回体収容箱は、上記本発明の第１の態様又は第２の態様に係る巻回体収容箱において、引出テープ保管表示部が、蓋部１６（例えば図１参照）の裏面に形成されている。
【００１１】
このように構成すると、引出テープの保管時の紛失を抑制することができる。
【００１２】
また、本発明の第４の態様に係る巻回体入り収容箱は、例えば図１に示すように、薄膜状の長尺物３１ｆが巻かれた巻回体３１ｒであって、先端部に剥離を助ける引出テープ３５が貼付された巻回体３１ｒと；上記本発明の第１の態様乃至第３の態様のいずれか１つの態様に係る巻回体収容箱１０とを備える。
【００１３】
このように構成すると、流通に付される巻回体入り収容箱について、巻回体に張り付いた長尺物の先端を巻回体から剥離する際に用いるテープとして、引出テープの利用を促すことができる。
【００１４】
また、本発明の第５の態様に係る長尺物引き出し方法は、例えば図１及び図３を参照して示すと、蓋部１６が開閉する直方体状の収容箱１０に収容された、薄膜状の長尺物３１ｆが巻かれて先端に剥離を助ける引出テープ３５が貼付された巻回体３１ｒから、長尺物３１ｆを引き出す方法であって；収容箱１０を開封して初めて引き出す際に、引出テープ３５を摘んで引き出す初期引出工程（Ｓｔ２）と；初期引出工程（Ｓｔ２）で長尺物３１ｆを引き出した後に、引出テープ３５を長尺物３１ｆから剥がす引出テープ剥離工程（Ｓｔ３）と；引出テープ剥離工程（Ｓｔ３）で剥がした引出テープ３５を、収容箱１０に貼付して保管する引出テープ保管工程（Ｓｔ４）と；長尺物３１ｆの引き出しを開始した後に長尺物３１ｆの先端が巻回体３１ｒに張り付いた際に、収容箱１０に貼付して保管してある引出テープ３５を用いて、巻回体３１ｒに張り付いた長尺物３１ｆの先端を巻回体３１ｒから剥離する先端剥離工程（Ｓｔ７〜Ｓｔ９）とを備える。
【００１５】
このように構成すると、引出テープを、巻回体に張り付いた長尺物の先端を巻回体から剥離する際のテープとして利用することとなり、別途先端剥離用のテープを用意しなくて済むため、利便性が向上する。
【発明の効果】
【００１６】
本発明によれば、巻回体に張り付いた長尺物の先端を巻回体から剥離する際に用いるテープとして、引出テープの利用を促すことができる。
【図面の簡単な説明】
【００１７】
【図１】本発明の実施の形態に係るラップ入りカートンの斜視図である。
【図２】ラップ入りカートンの細部を説明する図である。（ａ）は引出シールの平面図、（ｂ）は保管表示部まわりの部分拡大図、（ｃ）は説明部の拡大図である。
【図３】本発明の実施の形態に係る長尺物引き出し方法を説明するフローチャートである。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る、巻回体収容箱としてのラップカートン１０、及びラップカートン１０に巻回体としてのラップロール３１ｒが収容された巻回体入り収容箱としてのラップ入りカートン１を説明する。図１は、ラップ入りカートン１の斜視図である。ラップカートン１０は、ラップロール３１ｒを収容する本体部１１と、本体部１１に連接された蓋部１６とを備えている。
【００２０】
ラップカートン１０に収容されるラップロール３１ｒは、薄膜状の長尺物としてのラップフィルム３１ｆがロール状に巻かれたものである。以下の説明において、ラップロール３１ｒとラップフィルム３１ｆとの外観形状の区別をしない場合は、「ラップ３１」と総称する。ラップ３１は、本実施の形態では、ポリ塩化ビニリデンが用いられている。ラップフィルム３１ｆは、本実施の形態では、幅が０．３ｍ、長さが２０ｍであるが、他に、幅が０．２２ｍあるいは０．１５ｍ等であってもよく、長さは５０ｍ等でもよい。ラップフィルム３１ｆの厚さは、本実施の形態では、５〜２０μｍである。未使用のラップロール３１ｒの先端には、ラップフィルム３１ｆの引き出しを助ける引出テープとしての引出シール３５が貼付されている。引出シール３５は、裏面に粘着剤が塗布されている。
【００２１】
本体部１１は、未使用のラップロール３１ｒを収容できる大きさの直方体に対して、細長い面の１つが開口１１ｈとなっている箱である。本体部１１の大きさは、収容した未使用のラップロール３１ｒを軸回りに回転させるのを妨げない隙間が形成される一方で、できるだけ小さく形成されている。本体部１１は、開口１１ｈと協働して直方体の側面を構成する前板１２、底板１３、後板１４と、直方体の端面を構成する２つの脇板１５とを有している。底板１３は、開口１１ｈに対向しており、前板１２及び後板１４は、開口１１ｈ及び底板１３に直交している。
【００２２】
蓋部１６は、本体部１１の開口１１ｈを塞ぐ部材であり、蓋板１７と、掩蓋片１８と、側蓋片１９とを有している。蓋板１７は、開口１１ｈの面と略同じ大きさの矩形平板状部材であり、蓋板１７を開口１１ｈに合わせることで本体部１１を閉塞した直方体とすることができるようになっている。蓋板１７が開口１１ｈの面と略同じ大きさとは、蓋板１７が、掩蓋片１８の厚さ及び側蓋片１９の厚さの分大きい場合を含むことを意味している。蓋板１７は、長手方向の一辺が、本体部１１の開口１１ｈを形成する一辺であり、かつ、後板１４の一辺である蝶番辺１０ｊで連接している。換言すれば、本体部１１と蓋板１７とは、蝶番辺１０ｊを介して連接している。蓋板１７は、蝶番辺１０ｊを回転軸線として、本体部１１に対して回動することができるように構成されている。蓋板１７は、蝶番辺１０ｊに対向する折曲辺１７ｆが前板１２に接する位置と、平面で見て後板１４よりも外側となる位置との間を移動することができるようになっている。
【００２３】
掩蓋片１８は、折曲辺１７ｆを介して蓋板１７と直交するように、本体部１１側に延びて設けられている。掩蓋片１８は、長手方向両端の幅（長方形の前板１２の短辺方向の長さ）が、前板１２の短辺方向の長さの約１／２で、長手方向中央部の幅が、前板１２の短辺方向の長さの約３／４となっており、折曲辺１７ｆに対向する先端辺１８ｐがＶ字状に形成されている。掩蓋片１８の先端辺１８ｐには、ラップフィルム３１ｆを切断するための切断刃１８ｃが取り付けられている。側蓋片１９は、蓋板１７及び掩蓋片１８の両端に合計２つ設けられており、蓋板１７及び掩蓋片１８の双方に直交して取り付けられている。側蓋片１９は、長辺が蓋板１７の短辺と同じ長さで、短辺が掩蓋片１８の端部と同じ長さの長方形に形成されている。このように構成された蓋部１６は、開口１１ｈを閉じたときに、本体部１１の開口１１ｈまわりの一部に覆い被さるようになっている。
【００２４】
本体部１１及び蓋部１６は、本実施の形態では、約０．４５〜０．７ｍｍ厚のコートボール紙が加工されて形成されている。本実施の形態では、説明の便宜上、本体部１１と蓋部１６とを機能の観点から区別しているが、本体部１１及び蓋部１６は、１枚の原紙を切り出して組み立てられて一体に形成されている。本体部１１及び蓋部１６の表面は、消費者の購買意欲を惹起するようなデザインが印刷されたうえで、全体に表面処理が施されている。この表面処理は、好ましくは、引出シール３５を貼り付けて剥がしても、引出シール３５の粘着力の低下を抑制することができる処理であり、例えば紫外線硬化型ニスの塗布等が挙げられる。
【００２５】
蓋部１６の掩蓋片１８の端の部分には、使用者に引出シール３５の貼付を促す引出テープ保管表示部としての保管表示部２１が形成されている。保管表示部２１は、未使用のラップロール３１ｒの先端に貼り付けられている引出シール３５を、ラップ３１が使用中に巻き戻って先端がラップロール３１ｒに張り付いて摘みにくくなったときに先端を見つけるのに用いるべく、保管しておくことを勧める表示である。他方、本体部１１の前板１２の端の部分には、ラップ３１が巻き戻ったときの対処法の例を示す説明部２３が形成されている。
【００２６】
図２（ａ）に引出シール３５の平面図を、図２（ｂ）にラップカートン１０の保管表示部２１まわりの部分拡大図を、図２（ｃ）に説明部２３の拡大図を、それぞれ示す。図２（ａ）に示すように、引出シール３５は、やや細長い長方形の両端を半円弧にした平面形状を有するテープを基に、表面に情報伝達の文字３５ｃが表示され、裏面に粘着剤が塗布されている。引出シール３５の表面の文字３５が表示されていない一端には、ラップ３１の使い始めにラップフィルム３１ｆを引き出す方向を示す矢印３５ａが表示されている。文字３５ｃは、巻き戻ったラップ３１の先端を見つけるのに引出シール３５を再利用できる旨の情報を使用者に伝達するべく、本実施の形態では、「この引き出しシールを保管し、もしもラップが巻き戻ってしまった場合にお使いください」と表示している。文字３５ｃは、巻き戻ったラップ３１の先端を見つけるために引出シール３５を再利用できること使用者に知らせることができるため、引出シール３５が捨てられずに保管される確率を向上させることに寄与することとなる。
【００２７】
図２（ｂ）に示すように、保管表示部２１は、引出シール３５の輪郭に相当する破線２１ｂが表示されている。また、保管表示部２１には、破線２１ｂに合わせて引出シール３５を貼った場合に、引出シール３５の矢印３５ａに対応する位置に矢印２１ａが、引出シール３５の文字３５ｃに対応する位置に文字２１ｃが、それぞれ表示されている。保管表示部２１の文字２１ｃは、引出シール３５の保管を使用者に促すべく、本実施の形態では「引き出しシールをここに貼って保管し、もしもラップが巻き戻ってしまった場合にご利用ください」と表示している。人間は、保管場所が決まっていないと片付けが進まないのに対して保管場所が決まっていると片付けがはかどるのと同様、保管表示部２１によって引出シール３５を保管する場所があらかじめ決められていると、引出シール３５が保管される確率が向上することが期待される。
【００２８】
図２（ｃ）に示す説明部２３がさらにラップカートン１０に設けられていることで、引出シール３５を保管しておくことが好ましい旨の注意喚起を使用者が目にする機会が増え、引出シール３５が保管される確率がより向上することが期待される。説明部２３には、本実施の形態では、「もしも、ラップが巻き戻ってしまったら．．．  ・セロハンテープなどでラップを軽くたたいてラップの端を見つけてください。（開封時に引き出しシールを捨てずにラップのふた部分に貼り付けてセロハンテープの代わりにご使用になると便利です。）  ・清潔なスポンジでラップをこすると切れ端を簡単に見つけることができます。つめ、刃物を使わないでください。」と表示されている。
【００２９】
なお、引出シール３５の素材としては、合成樹脂・紙等特に限定されないが、ポリプロピレンの延伸フィルムを主原料とし、その表面に無機微細粉末を含有させた合成紙が、耐水性・引裂耐性・印刷特性等において好適である。また、引出シール３５に用いる粘着剤としては、アクリル酸エステル共重合樹脂が、粘着・接着の強度低下が少ないので好適である。
【００３０】
次に図３を参照して、ラップ入りカートン１からラップフィルム３１ｆを引き出す方法を説明する。図３は、ラップフィルム３１ｆの引き出し方法を説明するフローチャートである。なお、以下の説明において、ラップ入りカートン１の構成に言及しているときは、適宜図１及び図２を参照することとする。未開封のラップ入りカートン１は、掩蓋片１８の先端に、先端辺１８ｐ上のミシン目（不図示）を介して切取片（不図示）が接続されており、切取片（不図示）は前板１２に複数の点で接着されている。ラップ３１を初めて使用する際は、切取片（不図示）を、前板１２から剥がしつつミシン目（不図示）で切断して掩蓋片１８から分離する（Ｓｔ１）。このようにラップカートン１０を開封することで、蓋部１６が本体部１１に対して回動可能な状態となる。
【００３１】
ラップカートン１０を開封し、蓋部１６を開けると、本体部１１の中にはラップロール３１ｒが入っている。ラップロール３１ｒには、ラップフィルム３１ｆの先端に引出シール３５が貼り付けられている。引出シール３５を摘んで引き出すと、引出シール３５に貼り付いているラップフィルム３１ｆの先端がラップロール３１ｒから剥離し、容易にラップフィルム３１ｆを引き出すことができる（初期引出工程：Ｓｔ２）。ラップフィルム３１ｆを必要な長さ分引き出し、蓋部１６を閉め、掩蓋片１８がラップフィルム３１ｆに対して直角に近づく方向にラップカートン１０をひねると、切断刃１８ｃの圧がラップフィルム３１ｆに加わってラップフィルム３１ｆが切断される。このとき、ラップロール３１ｒ側の先端が前板１２と掩蓋片１８とに挟まれた状態になっている。その後、切断されたラップフィルム３１ｆに貼り付いている引出シール３５をラップフィルム３１ｆから剥がす（引出テープ剥離工程：Ｓｔ３）。なお、引出シール３５をラップフィルム３１ｆから剥がす（Ｓｔ３）のは、ラップフィルム３１ｆの切断前に行ってもよい。
【００３２】
引出シール３５をラップフィルム３１ｆから剥がしたら、引出シール３５をラップカートン１０の保管表示部２１に貼り付けて、引出シール３５を保管する（引出テープ保管工程：Ｓｔ４）。このとき、引出シール３５に再利用できる旨の文字３５ｃが表示されていることと、ラップカートン１０に保管表示部２１が形成されていることとの相乗効果により、引出シール３５が保管されずに捨てられることを回避して引出シール３５が保管される確率を上昇させることができる。その後、ラップ３１は、必要なときに必要量が引き出されて切断され、利用される（Ｓｔ５）。なお、ラップフィルム３１ｆを初めて引き出して切断した後は、上述のように、ラップロール３１ｒ側の先端が前板１２と掩蓋片１８とに挟まれた状態になっているので、次にラップ３１を引き出そうとして蓋部１６を開けると、ラップフィルム３１ｆの先端が、前板１２の一部に掛かっている状態となっていてラップロール３１ｒから離れているので、ラップフィルム３１ｆの先端を摘んで容易に引き出すことができる。
【００３３】
通常の使用時は、上述のように、ラップ３１を引き出す際にラップフィルム３１ｆの先端が前板１２の一部に掛かっていてラップロール３１ｒから離れているので、ラップフィルム３１ｆの先端を容易に摘むことができる。しかしながら、何らかの原因で、前板１２の一部に掛かっているラップフィルム３１ｆが巻き戻ってしまい、ラップフィルム３１ｆの先端がラップロール３１ｒに貼り付いてしまう場合が生じ得る。ラップフィルム３１ｆの先端がラップロール３１ｒに貼り付くと、ラップフィルム３１ｆの先端を摘むのが困難になる。ラップ３１が巻き戻っていなければ（Ｓｔ６でＮｏ）、ラップ３１の利用（Ｓｔ５）を継続すればよい。
【００３４】
ラップ３１が巻き戻っている場合は（Ｓｔ６でＹｅｓ）、保管表示部２１に貼り付けて保管してある引出シール３５をラップカートン１０から剥がす（Ｓｔ７）。そして、剥がした引出シール３５で、その粘着面がラップ３１に接するように、ラップロール３１ｒを軽くたたく（Ｓｔ８）。引出シール３５でラップロール３１ｒをたたいている最中で引出シール３５をラップロール３１ｒから遠ざけたとき、引出シール３５が接した場所がラップ３１の先端でなければ引出シール３５だけがラップロール３１ｒから離れ、引出シール３５が接した場所がラップ３１の先端であれば引出シール３５と共にラップフィルム３１ｆの先端もラップロール３１ｒから離れる。このように、引出シール３５を利用して、巻き戻ったラップ３１の先端を探すことができる（Ｓｔ９）。なお、工程Ｓｔ７〜工程Ｓｔ９が、先端剥離工程に相当する。
【００３５】
引出シール３５でラップロール３１ｒをたたいてラップ３１の先端が見つからないときは（Ｓｔ９でＮｏ）、引き続き引出シール３５でラップロール３１ｒをたたく（Ｓｔ８）。他方、ラップ３１の先端が見つかった場合は（Ｓｔ９でＹｅｓ）、ラップ３１の先端を摘んで必要量を引き出し、蓋部１６を閉めた後にラップカートン１０をひねってラップフィルム３１ｆを切断する。これにより、ラップロール３１ｒ側の先端が前板１２と掩蓋片１８とに挟まれた状態になり、次にラップ３１を引き出そうとして蓋部１６を開けた際に、ラップフィルム３１ｆの先端が前板１２の一部に掛かっていてラップロール３１ｒから離れている状態となる。巻き戻ったラップ３１の先端が見つかったら（Ｓｔ９でＹｅｓ）、再び引出テープ剥離工程（Ｓｔ３）に戻り、以降、上述のフローを繰り返す。
【００３６】
以上の説明では、引出テープが、裏面に粘着剤が塗布されている引出シール３５であるとしたが、粘着剤が塗布されていなくてもラップフィルム３１ｆ及びラップカートン１０の表面と接着性を有する材質で形成されたテープであってもよい。ここでの接着性は、少なくとも、ラップフィルム３１ｆを引き出す際の力で剥離せず、ラップカートン１０に密着させたときに自重で剥離しない接着性があるとよい。このようなテープとして、例えば酢酸ビニル系の樹脂で形成されたものを用いることとしてもよい。
【００３７】
以上の説明では、未使用のラップロール３１ｒの先端に貼付されていた引出シール３５をラップカートン１０に貼り付けて保管しておき、保管しておいた引出シール３５を巻き戻ったラップ３１の先端を見つけるのに用いることとしたが、引出シール３５とは別のテープである剥離テープをあらかじめ（ラップカートン１０の開封前から）ラップカートン１０に貼り付けておき、この剥離テープを巻き戻ったラップ３１の先端を見つけるのに用いることとしてもよい。剥離テープをあらかじめ備えておくと、ラップ３１が巻き戻って先端がラップロール３１ｒに貼り付いた際に、セロハンテープを用意することなく迅速にラップ３１の先端を見つける作業に着手することができる。剥離テープは、引出シール３５と同じ構成であってもよく、あるいはラップロール３１ｒをたたいてラップ３１の先端に接したときにラップフィルム３１ｆの先端がラップロール３１ｒから離れる接着性を持っていれば引出シール３５と別の構成であってもよい。剥離テープを引出シール３５と同じ構成とすると、同種のテープを兼用できることとなり、生産性が向上することとなる。
【００３８】
以上の説明では、保管表示部２１が掩蓋片１８の表面に形成されていることとしたが、本体部１１の前板１２、底板１３、後板１４、脇板１５の１箇所以上に形成されていてもよく、あるいは蓋部１６の蓋板１７及び／又は側蓋片１９に形成されていてもよい。あるいは、保管表示部２１が蓋部１６の裏面に形成されていてもよい。ここで、蓋部１６の裏面とは、蓋部１６を閉じたときにラップカートン１０の内側となる面である。保管表示部２１が蓋部１６の裏面に形成されていると、ラップフィルム３１ｆから剥がした引出シール３５を蓋部１６の裏面に貼り付けて保管することが促進され、引出シール３５が蓋部１６の裏面で保管されることにより、通常使用時に擦れ等で引出シール３５がラップカートン１０から剥がれ落ちることが低減され、ラップカートン１０内のラップ３１がなくなるまで引出シール３５を保管することができる確率を高めることができる。
【符号の説明】
【００３９】
１      ラップ入りカートン
１０    ラップカートン
１０ｊ  蝶番辺
１１    本体部
１１ｈ  開口
１６    蓋部
２１    保管表示部
３１ｆ  ラップフィルム
３１ｒ  ラップロール
３５    引出シール
【図１】
0005538187.tif 000002
【図２】
0005538187.tif 000003
【図３】
0005538187.tif 000004